(57)【要約】【課題】左右方向の風向変更性能を向上させることができる空気調和機を提供すること。【解決手段】熱交換して前記吹出口から吹き出すための気流を発生させるファン６と、ファン６の下流に配置されて空気の流れを吹出口２ｃへ案内するリアガイダ７と、リアガイダ７に対向して配置されたスタビライザ１１と、リアガイダ７の下流において回動可能に設けられ、リアガイダ７に沿って流れてきた空気の流れる方向を上下方向に変更する第１の上下風向変更羽根８ａとを備え、第１の上下風向変更羽根８ａに、左右方向の風向を変更する第１の左右風向変更羽根９ａを設け、スタビライザ１１に、第２の左右風向変更羽根９ｂを設ける。【選択図】図２
2016020797.tif 000002
【特許請求の範囲】
【請求項１】
空気の取入口と吹出口を有する本体と、
前記取入口から取り入れた空気を熱交換する熱交換器と、
前記熱交換器において熱交換して前記吹出口から吹き出すための気流を発生させるファンと、
前記ファンの下流に配置されて空気の流れを前記吹出口へ案内するリアガイダと、
前記リアガイダに対向して配置されたスタビライザと、
前記リアガイダの下流において回動可能に設けられ、前記リアガイダに沿って流れてきた空気の流れる方向を上下方向に変更する第１の上下風向変更羽根とを備え、
前記第１の上下風向変更羽根に、左右方向の風向を変更する第１の左右風向変更羽根を設け、
前記スタビライザに、第２の左右風向変更羽根を設けたことを特徴とする空気調和機。
【請求項２】
前記吹出口の前記スタビライザ側に回動可能に設けられた第２の上下風向変更羽根をさらに備えたことを特徴とする請求項１に記載の空気調和機。
【請求項３】
前記第１の左右風向変更羽根を構成する羽根を、前記第２の左右風向変更羽根を構成する羽根の間に配置したことを特徴とする請求項１または２に記載の空気調和機。
【請求項４】
前記第１の左右風向変更羽根の後縁は、前記第２の左右風向変更羽根の後縁より、下流に位置することを特徴とする請求項１〜３のいずれか１項に記載の空気調和機。
【請求項５】
前記第１の左右風向変更羽根の前縁は、前記第２の左右風向変更羽根の前縁より、下流に位置することを特徴とする請求項１〜４のいずれか１項に記載の空気調和機。
【請求項６】
前記第１の左右風向変更羽根または第２の左右風向変更羽根を構成する羽根は、それぞれ、連結桟によって連結され、
前記連結桟は、前記第１の左右風向変更羽根または第２の左右風向変更羽根を構成する羽根の回転軸より、下流に位置することを特徴とする請求項１〜５のいずれか１項に記載の空気調和機。
【発明の詳細な説明】
【技術分野】
【０００１】
本発明は、左右方向の風向変更性能を向上させることができる左右風向変更羽根を備えた空気調和機に関するものである。
【背景技術】
【０００２】
空気調和機の室内ユニットでは、取込口から室内空気を吸込み、これを熱交換器での熱交換によって温度調節をした後、上下風向変更羽根および左右風向変更羽根にて風向を変更して、空調風として吹出口から室内へ吹き出すようになっている。
【０００３】
従来、吹出口の下部に可動ディフューザを設けるとともに、可動ディフューザに左右風向変更羽根を設けるものがある（例えば、特許文献１）。
【０００４】
図７は、特許文献１に記載された従来の空気調和機の本体１０２の中央内部を側面から見た図である。本体１０２の内部には吹出口１０２ｃへ送風するファン１０６が設けられている。吹出口１０２ｃには室内への送風を上下に調整する上下風向変更羽根１０８が設けられている。吹出口１０２ｃの下部には、駆動部を有し、吹出口１０２ｃの下部を前向きに回動させる可動ディフューザ１０４が設けられ、この可動ディフューザ１０４には室内への送風を左右に調節する左右風向変更羽根１０９が取付けられている。
【０００５】
上下風向変更羽根１０８と、可動ディフューザ１０４および左右風向変更羽根１０９は運転モードに対応してその位置が変わる。例えば冷房運転では上下風向変更羽根１０８がほぼ水平方向になるように回動され、可動ディフューザ１０４および左右風向変更羽根１０９は破線で示す位置に保持される。
【０００６】
また、暖房運転では上下風向変更羽根１０８を、図５に示されているようなほぼ垂直方向に回動させて吹出口１０２ｃの前方を塞ぐ一方、可動ディフューザ１０４および左右風向変更羽根１０９を実線で示す位置まで回動させて吹出口１０２ｃの間隔を広げるとともに、左右風向変更羽根１０９を吹出口１０２ｃに近づけるように、保持される。
【先行技術文献】
【特許文献】
【０００７】
【特許文献１】特開平６−２８９４８号公報
【発明の概要】
【発明が解決しようとする課題】
【０００８】
しかしながら、従来の空気調和機では、暖房運転時のように、可動ディフューザ１０４を下方に回動させて、吹出口１０２ｃの間隔を広げるようにすると、左右風向変更羽根１０９と吹出口１０２ｃの上端との間隔も広がるため、吹出口１０２ｃの上方を通過する空気を左右方向に風向変更する効果が、不十分となるという課題を有していた。
【０００９】
また、左右風向変更羽根１０９は、吹出口１０２ｃの一部である可動ディフューザ１０４に設けられているため、左右風向変更羽根１０９が、ファン１０６に接近することとなり、騒音の上昇、通風抵抗の増加により風量性能の劣化を招くという課題があった。
【００１０】
また、左右風向変更羽根１０９を通過した後に、上下風向変更羽根１０８が配置されているため、左右方向の風向変更性能が不十分となるという課題があった。
【００１１】
本発明は、上記従来の課題を解決するもので、騒音を低減するとともに送風性能を向上させるとともに、左右方向の風向変更性能を向上させることができる左右風向変更羽根を有する空気調和機を提供することを目的とする。
【課題を解決するための手段】
【００１２】
前記目的を達成するために、本発明に係る空気調和機においては、空気の取入口と吹出口を有する本体と、前記取入口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダと、前記リアガイダに対向して配置されたスタビライザと、前記リアガイダの下流において回動可能に設けられ、前記リアガイダに沿って流れてきた空気の流れる方向を上下方向に変更する第１の上下風向変更羽根とを備え、前記第１の上下風向変更羽根に、左右方向の風向を変更する第１の左右風向変更羽根を設け、前記スタビライザに、第２の左右風向変更羽根を設ける。
【発明の効果】
【００１３】
本発明によれば、左右方向の風向変更性能を向上させることができる。
【図面の簡単な説明】
【００１４】
【図１】本発明に係る実施の形態の空気調和機における室内機の概略構成を示す正面図
【図２】実施の形態の空気調和機における室内機の概略構成を示す縦断面図
【図３】実施の形態の空気調和機における室内機の空調運転時の第１の上下風向変更羽根と第１の左右風向変更羽根の位置を説明する縦断面図
【図４】実施の形態の空気調和機における第１の左右風向変更羽根と第２の左右風向変更羽根の概略構成を説明する要部拡大縦断面図
【図５】実施の形態の空気調和機における第１の左右風向変更羽根と第２の左右風向変更羽根の概略構成を示す正面図
【図６】実施の形態の空気調和機における第１の左右風向変更羽根と第２の左右風向変更羽根の位置を説明する要部拡大縦断面図
【図７】従来の空気調和機の室内機の概略構成を示す縦断面図
【発明を実施するための形態】
【００１５】
第１の発明は、空気の取入口と吹出口を有する本体と、前記取入口から取り入れた空気を熱交換する熱交換器と、前記熱交換器において熱交換して前記吹出口から吹き出すための気流を発生させるファンと、前記ファンの下流に配置されて空気の流れを前記吹出口へ案内するリアガイダと、前記リアガイダに対向して配置されたスタビライザと、前記リアガイダの下流において回動可能に設けられ、前記リアガイダに沿って流れてきた空気の流れる方向を上下方向に変更する第１の上下風向変更羽根とを備え、前記第１の上下風向変更羽根に、左右方向の風向を変更する第１の左右風向変更羽根を設け、前記スタビライザに、第２の左右風向変更羽根を設けたことを特徴とするものである。
【００１６】
これによれば、吹出口から吹き出される空気のうち、上方を流れる空気は第２の左右風向変更羽根を通過し、下方を流れる空気は第１の左右風向変更羽根を通過することとなるため、左右方向の風向変更性能が向上する。また、第１の左右風向変更羽根は、第１の上下風向変更羽根に搭載されているため、吹出口より空気の流れの下流側に位置することとなる。このため、第１の左右風向変更羽根に当たる空気の風速が減少し、通風抵抗が減少するので、送風性能が向上する。また、吹出口より下流側で左右方向の風向変更がなされるため、左右方向の風向変更性能が向上する。
【００１７】
第２の発明は、特に第１の発明において、吹出口の前記スタビライザ側に回動可能に設けられた第２の上下風向変更羽根をさらに備えたものである。これによれば、第２の上下風向変更羽根で、吹出口から吹き出させる空気の上方を覆うことができるので、より左右方向の風向変更性能が向上する。
【００１８】
第３の発明は、特に第１または第２の発明において、第１の左右風向変更羽根を構成する羽根を、前記第２の左右風向変更羽根を構成する羽根の間に配置したものである。これによれば、第１の上下風向変更羽根によって吹出口を閉じる際にも、第１の左右風向変更羽根と第２の左右風向変更羽根とが干渉することがない。このため、第１の左右風向変更羽根の収納が容易で、空気調和機がコンパクトになる。また、使用者が指などを、吹出口から挿入した場合にも、第１の左右風向変更羽根と第２の左右風向変更羽根とを構成する羽根が、ファンの軸方向に密集して立ち並ぶため、指がファンに届くのを防止できる。
【００１９】
第４の発明は、特に第１〜３のいずれか１つの発明において、第１の左右風向変更羽根の後縁は、前記第２の左右風向変更羽根の後縁より、下流に位置するものである。吹出口から吹き出される空気の流れのうち、風速が速くなるリアガイダ側に位置する第１の左右風向変更羽根の後縁の位置を下流にすることにより、より効果的に左右方向の風向変更を向上させることができる。
【００２０】
第５の発明は、特に第１〜４のいずれか１つの発明において、第１の左右風向変更羽根の前縁は、前記第２の左右風向変更羽根の前縁より、下流に位置するものである。吹出口から吹き出される空気の流れのうち、風速が速くなるリアガイダ側に位置する第１の左右風向変更羽根の前縁の位置を下流にすることにより、より効果的に通風抵抗を低減させることができる。
【００２１】
第６の発明は、特に第１〜５のいずれか１つの発明において、第１の左右風向変更羽根または第２の左右風向変更羽根を構成する羽根は、それぞれ、連結桟によって連結され、前記連結桟は、前記第１または第２の左右風向変更羽根を構成する羽根の回転軸より、下流に位置するものである。連結桟を下流に設けることで、吹出口の長手方向に渡って配置される連結桟に当たる空気の風速が減少し、通風抵抗が減少する。
【００２２】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００２３】
（実施の形態１）
実施の形態１の空気調和機は、室内機と室外機が冷媒配管及び制御配線等により互いに接続された、所謂セパレート型の空気調和機である。室内機と室外機によりヒートポンプが構成されており、室外機にはコンプレッサが設けられている。実施の形態１の空気調和機における室内機は、室内の壁面に取り付ける壁掛け式室内機である。なお、以下の説明では、室内機において、室内の壁にとりつける側を背面とし、背面に対向する側を前面として説明する。
【００２４】
図１は、本発明に係る実施の形態１の空気調和機における室内機の概略構成を示す正面図である。図２は室内機の概略構成を示す縦断面図である。図１、図２は空気調和機の空調運転停止時の状態を示している。
【００２５】
図１、図２に示すように、室内機１は、空気の取入口となる前面開口部２ａと上面開口部２ｂ、および熱交換された空気を吹き出す吹出口２ｃとを有する本体２、及び前面パネ
ル３を備えている。本体２の上面の背面側は、水平方向と平行な面で形成されており、上面の前面側は、前面側にいくにしたがって下方に傾斜するように形成されている。本体２の下面の背面側は、水平方向と平行な面で形成されており、下面の前面側は、前面側にいくにしたがって下方に傾斜するように形成されている。吹出口２ｃは平行な面と傾斜する面に亘って設けられている。
【００２６】
本体２の内部には、室内空気に含まれる塵埃を除去するためのフィルタ４と、取り入れた室内空気を熱交換する熱交換器５と、前面開口部２ａ及び上面開口部２ｂからフィルタ４を通して取り入れた室内空気を熱交換器５で熱交換して吹出口２ｃから室内に吹き出すための気流を発生させる貫流ファンであるファン６と、が設けられている。ファン６は、左右両端のいずれかの回転軸において、ファンモータの回転軸に連結されている（図示せず）。
【００２７】
また、室内機１の本体２において、ファン６の下流側から吹出口２ｃの上流側に至る通風路１０は、ファン６の下流側に配置されて空気の流れを案内するリアガイダ７と、このリアガイダ７に対向して配置されたスタビライザ１１と、本体２の両側壁（図示せず）とで形成されている。つまり、通風路１０の上面はスタビライザ１１であり、通風路１０の下面はリアガイダ７である。
【００２８】
リアガイダ７の下流部分とスタビライザ１１の下流部分とによりディフューザが構成されており、ファン６から吹出口２ｃへの通風路１０における流路断面積が徐々に拡大するよう構成されている。
【００２９】
なお、上述した用語「スタビライザ」は、ファン６の下流近傍に位置し、ファン６の前部付近に発生する渦を安定化させるための湾曲面形状を有する舌部近傍のみを、スタビライザと称することもあるが、ここでは、この舌部の下流側に位置し、ファン６により搬送される空気の圧力回復を担うディフューザの上側を構成する壁部分（平坦部）も含めて「スタビライザ」という。
【００３０】
リアガイダ７は、ファン６の外側外周に設けられた曲面部と、曲面部の下流側に位置する平面部とを備えている。スタビライザ１１の平坦部は、本体２の水平方向と略平行であるが、前面側にいくにしたがって若干、下方に傾斜するように形成されている。スタビライザ１１の平坦部は、本体２の上面の前面側とほぼ平行な面で形成されている。
【００３１】
吹出口２ｃには、当該吹出口２ｃを開閉するとともに、空気の吹き出し方向を上下方向に変更することができる上下風向変更手段である第１の上下風向変更羽根８ａと第２の上下風向変更羽根８ｂとが設けられている。
【００３２】
第１の上下風向変更羽根８ａの空気の流れ方向の長さ（短手方向の長さ）は、スタビライザ１１の平坦部の空気の流れ方向の長さ（短手方向の長さ）より大きい。また、第２の上下風向変更羽根８ｂの空気の流れ方向の長さ（短手方向の長さ）は、第１の上下風向変更羽根８ａの空気の流れ方向の長さと略同等である。
【００３３】
第１の上下風向変更羽根８ａは、リアガイダ７の下流側端部（下流端）に回動可能に設けられている。第１の上下風向変更羽根８ａの端部に設けられた駆動軸は、リアガイダ７の下流端に近接して設けられている。第２の上下風向変更羽根８ｂは、吹出口２ｃの上面側、つまり、スタビライザ１１の下流端近傍に回動可能に設けられている。第２の上下風向変更羽根８ｂの端部に設けられた駆動軸は、スタビライザ１１の平坦部から所定の間隔をあけた下方に設けられている。
【００３４】
図２に示す空調運転停止時の状態においては、第１の上下風向変更羽根８ａと第２の上下風向変更羽根８ｂとが吹出口２ｃに沿うように収納されて、吹出口２ｃを閉じるように構成されている。第１の上下風向変更羽根８ａが吹出口２ｃの下方の大部分を覆い、第２の上下風向変更羽根８ｂが本体２の傾斜する面に位置する吹出口２ｃを覆う。また、第２の上下風向変更羽根８ｂは前面開口部２ａを閉じるように構成されている。
【００３５】
図３は、空調運転時の第１の上下風向変更羽根８ａと第２の上下風向変更羽根８ｂの動作例を示す縦断面図である。
【００３６】
第１の上下風向変更羽根８ａと第２の上下風向変更羽根８ｂとが協働して、吹出口２ｃから吹き出される空気の上下方向の吹き出し方向を制御している。第１の上下風向変更羽根８ａは、駆動軸に連結されたモータの回動動作により、所定角度だけ回動するよう構成されている。第２の上下風向変更羽根８ｂも同様に、駆動軸に連結されたモータの回動動作により、所定角度だけ回動するよう構成されている。なお、所定角度は、使用者がリモコン等で設定した運転状態（冷房運転や暖房運転）、吹き出し方向や風量等に応じて、制御装置（図示せず）により決定される。
【００３７】
図３に示すように、空気調和機が冷房運転を行う場合など、吹出口２ｃから吹き出させる風量を最大とする設定時（最大風量時）では、第２の上下風向変更羽根８ｂの上面、または、下面が、スタビライザ１１の平坦部と実質的に平行となるように配置される。また、第１の上下風向変更羽根８ａは、上面がリアガイダ７の平面部と、実質的に連続するように直線的に配置される。なお、第１の上下風向変更羽根８ａの上面とは、吹出口２ｃから吹き出される空気の主流が沿って流れる面である。
【００３８】
室内機１は、空気の吹き出し方向を左右に変更することができる左右風向変更手段である第１の左右風向変更羽根９ａと、第２の左右風向変更羽根９ｂが設けられている。第１の左右風向変更羽根９ａは、第１の上下風向変更羽根８ａの上面の中央部より下流側に設けられている。第２の左右風向変更羽根９ｂは、スタビライザ１１の平坦部の中央部に設けられている。第１の左右風向変更羽根９ａ、第２の左右風向変更羽根９ｂは、それぞれ、複数枚の羽根で構成されており、吹出口２ｃから吹き出される空気の吹き出し方向を左右方向に変更する。
【００３９】
第１の左右風向変更羽根９ａ、第２の左右風向変更羽根９ｂについて、図４、図５を用いて詳しく説明する。図４は、第１の左右風向変更羽根と第２の左右風向変更羽根の概略構成を説明する要部拡大縦断面図である。図５は、第１の左右風向変更羽根と第２の左右風向変更羽根の概略構成を示す正面図である。
【００４０】
第１の左右風向変更羽根９ａを構成する羽根９ａａの１枚は、通風路１０の上流側（本体２の背面側）に位置する前縁９ａｌと、通風路１０の下流側（本体２の前面側）に位置する後縁９ａｔと、通風路１０の上面側（スタビライザ１１側）に位置する上縁と、第１の上下風向変更羽根８ａの上面に対向する下縁とを主な四辺とする略長方形の平板である。つまり、前縁９ａｌと後縁９ａｔ、上縁と下縁は、それぞれ対向する縁である。
【００４１】
羽根９ａａの高さ（上縁と下縁との距離）は、図２に示すように、運転停止時における第１の上下風向変更羽根８ａの上面とスタビライザ１１の平坦部との距離より小さく、略等しい。前縁９ａｌは、第１の上下風向変更羽根８ａの中央部より下流側（本体２の前面側）に位置している。後縁９ａｔは、第１の上下風向変更羽根８ａの下流端の近傍に位置している。
【００４２】
複数枚の羽根９ａａのそれぞれは、下縁の中央部より前縁９ａｌ側から突出する回転軸
１３ａを備えている。一方、第１の上下風向変更羽根８ａの上面には、回転軸１３ａを挿入するための穴形状をした軸受が設けられている。複数枚の羽根９ａａは、それぞれ、軸受に回転軸１３ａを挿入することで、左右方向に回動可能に設けられている。
【００４３】
また、複数枚の羽根９ａａのそれぞれは、下縁の中央部に連結桟１２ａと連結される連結軸をさらに備えている。連結軸は、回転軸１３ａより後縁９ａｔ側に設けられている。
【００４４】
連結桟１２ａは、吹出口２ｃの長手方向（本体２の幅方向）に亘る桟であり、左右両端のいずれかにおいて、モータとギア等で構成された駆動装置に連結されている（図示せず）。そして、この駆動装置の動作により、連結桟１２ａを、左右方向に動かすことができる。複数枚の羽根９ａａの連結軸を、連結桟１２ａに設けられた連結穴（図示せず）に挿入することで、連結桟１２ａを左右方向に移動させると、連結軸を介して、複数枚の羽根９ａａのすべてが連動し、回転軸１３ａを支点に回動する。
【００４５】
このため、複数枚の羽根９ａａのすべてを同一方向に向けることができる。なお、連結桟１２ａを本体２の右側と左側とで独立して設けて、複数枚の羽根９ａａのうち本体２の右側に位置する複数の羽根と、本体２の左側に位置する複数の羽根とをそれぞれ独立に同一方向に向けることができるようにしてもよい。
【００４６】
第２の左右風向変更羽根９ｂを構成する羽根９ｂｂの１枚は、通風路１０の上流側（本体２の背面側）に位置する前縁９ｂｌと、通風路１０の下流側（本体２の前面側）に位置する後縁９ｂｔと、スタビライザ１１の平坦部に対向する上縁と、通風路１０の下面側（リアガイダ７側）に位置する下縁とを主な四辺とする略長方形の平板である。
【００４７】
羽根９ｂｂの高さ（上縁と下縁との距離）は、図２に示すように、運転停止時における第１の上下風向変更羽根８ａの上面とスタビライザ１１の平坦部との距離より小さく、略等しい。また、羽根９ｂｂの高さは、第２の上下風向変更羽根８ｂの駆動軸とスタビライザ１１の平坦部と間に設けられた間隔より大きい。また、第２の左右風向変更羽根９ｂの羽根９ｂｂの高さは、第１の左右風向変更羽根９ａの羽根９ａａの高さはより大きい。
【００４８】
前縁９ｂｌは、スタビライザ１１の舌部と平坦部との接合部の近傍に位置している。後縁９ｂｔは、第２の上下風向変更羽根８ｂの駆動軸から所定の間隔をあけた上流側に位置している。
【００４９】
複数枚の羽根９ｂｂのそれぞれは、上縁の中央部から突出する回転軸１３ｂを備えている。一方、スタビライザ１１の平坦部には、回転軸１３ｂを挿入するための穴形状をした軸受が設けられている。複数枚の羽根９ｂｂは、それぞれ、軸受に回転軸１３ｂを挿入することで、左右方向に回動可能に設けられている。
【００５０】
また、複数枚の羽根９ｂｂのそれぞれは、上縁の中央部より下流側に連結桟１２ｂと連結される連結軸をさらに備えている。連結軸は、回転軸１３ｂより後縁９ｂｔ側に設けられている。
【００５１】
連結桟１２ｂは、連結桟１２ａと同様に、駆動装置に連結されている（図示せず）。そして、この駆動装置の動作により、第１の左右風向変更羽根と同様に、複数枚の羽根９ｂｂのすべてを同一方向に向けることができる。なお、連結桟１２ｂを本体２の右側と左側とで独立して設けて、複数枚の羽根９ｂｂのうち本体２の右側に位置する複数の羽根と、本体２の左側に位置する複数の羽根とをそれぞれ独立に同一方向に向けることができるようにしてもよい。
【００５２】
図２、図４に示すように、第１の左右風向変更羽根９ａの前縁９ａｌは、第２の左右風向変更羽根９ｂの前縁９ｂｌより、下流（本体２の前面側）に配置される。また、第１の左右風向変更羽根９ａの後縁９ａｔは、第２の左右風向変更羽根９ｂの後縁９ｂｔより、下流（本体２の前面側）に配置される。
【００５３】
第２の左右風向変更羽根９ｂの回転軸１３ｂは、第１の左右風向変更羽根９ａの回転軸１３ａより、下流（本体２の前面側）に配置される。また、第２の左右風向変更羽根９ｂの連結桟１２ｂは、第１の左右風向変更羽根９ａの連結桟１２ａより、下流（本体２の前面側）に配置される。
【００５４】
図６は、第１の左右風向変更羽根９ａと第２の左右風向変更羽根９ｂの空調運転停止時および最大風量での空調運転時の位置を説明する要部拡大縦断面図である。図６には、空調運転停止時の第１の左右風向変更羽根９ａと第２の左右風向変更羽根９ｂの位置と、最大風量時の第１の左右風向変更羽根９ａと第２の左右風向変更羽根９ｂの位置をともに、実線で示している。また、第１の左右風向変更羽根９ａの前縁９ａｌの上端の軌跡と、後縁９ａｔの下端の軌跡を破線で示している。
【００５５】
図６に示すように、空調運転停止時の状態から最大風量での空調運転時の状態の間は、常に、第１の左右風向変更羽根９ａの前縁９ａｌは、第２の左右風向変更羽根９ｂの前縁９ｂｌより、下流（本体２の前面側）に配置されることが望ましい。同様に、空調運転停止時の状態から最大風量での空調運転時の状態の間は、常に、第１の左右風向変更羽根９ａの後縁９ａｔは、第２の左右風向変更羽根９ｂの後縁９ｂｔより、下流（本体２の前面側）に配置されることが望ましい。
【００５６】
また、図５に示すように、第１の左右風向変更羽根９ａの複数の羽根９ａａのそれぞれは、第２の左右風向変更羽根９ｂの複数の羽根９ｂｂの間に配置されている。また、第２の左右風向変更羽根９ｂの複数の羽根９ｂｂのそれぞれは、第１の左右風向変更羽根９ａの複数の羽根９ａａの間に配置されている。すなわち、羽根９ａａと羽根９ｂｂとを千鳥状に配置している。
【００５７】
第１の左右風向変更羽根９ａと第２の左右風向変更羽根９ｂとが協働して、吹出口２ｃから吹き出される空気の左右方向の吹き出し方向を制御している。なお、第１の左右風向変更羽根９ａと第２の左右風向変更羽根９ｂの方向は、使用者がリモコン等で設定した吹き出し方向等に応じて、制御装置（図示せず）により決定される。
【００５８】
以上のように構成された空気調和機について、以下その動作、作用について説明する。
【００５９】
まず、空気調和機の空調運転停止時について説明する。図２に示すように、第１の上下風向変更羽根８ａが吹出口２ｃの下方を閉じる。第１の左右風向変更羽根９ａの羽根９ａａは、第２の左右風向変更羽根９ｂの羽根９ｂｂの間に挿入されている。つまり、図１に示すように、側面視において、羽根９ａａと羽根９ｂｂとが重なるように収納される。
【００６０】
次に、空気調和機の空調運転時について説明する。空気調和機が空調運転を開始すると、第１の上下風向変更羽根８ａ、第２の上下風向変更羽根８ｂが開動作を行い、吹出口２ｃが開放される。
【００６１】
空調運転停止時に、吹出口２ｃを第１の上下風向変更羽根８ａと第２の上下風向変更羽根８ｂとで覆った状態における第１の上下風向変更羽根８ａおよび第２の上下風向変更羽根８ｂの下面（前面）を「デザイン面」と定義すると、空調運転時に、第１の上下風向変更羽根８ａが開いた状態では、第１の左右風向変更羽根９ａは、デザイン面より下方に位
置する。つまり、最大風量時の第１の上下風向変更羽根８ａの位置では、第１の左右風向変更羽根９ａは、吹出口２ｃより下流に位置する。また、最大風量時の第１の上下風向変更羽根８ａの位置では、第１の左右風向変更羽根９ａは、第２の左右風向変更羽根９ｂと、側面視において、重なることがない。
【００６２】
このように前面開口部２ａおよび吹出口２ｃが開放された状態でファン６が駆動されて、室内空気が前面開口部２ａ及び上面開口部２ｂを通して室内機１の内部に取り入れられる。取り入れられた室内空気は、フィルタ４を通り、熱交換器５において熱交換されて、ファン６に吸い込まれる。ファン６に吸い込まれた熱交換された空気は、ファン６の下流側に形成された通風路１０を通り、吹出口２ｃより吹き出される。
【００６３】
ファン６からの空気が通風路１０を通過するとき、ファン６の下流側に配置されたリアガイダ７およびスタビライザ１１によりファン６からの空気が案内されて、吹出口２ｃから吹き出される。貫流ファンであるファン６からの空気は、リアガイダ７の曲面部に沿って流れて、吹出口２ｃから吹き出される。
【００６４】
第１の上下風向変更羽根８ａと第２の上下風向変更羽根８ｂは、リアガイダ７、スタビライザ１１の下流の吹出口２ｃに設けられて、吹出口２ｃから吹き出される空気をスムーズに所望の領域に到達させることができる。特に、第１の上下風向変更羽根８ａは、リアガイダ７を延長した位置にあり、吹出口２ｃからの空気に対して高い整流効果を発揮するディフューザとしての機能を有する。例えば、図３に示すように、第１の上下風向変更羽根８ａが最大風量時の状態には、第１の上下風向変更羽根８ａが、リアガイダ７の一部として機能する。
【００６５】
第１の左右風向変更羽根９ａは、リアガイダ７で整流された流れを円滑に所望の左右方向に風向を制御することができる。また、第２の左右風向変更羽根９ｂは、スタビライザ１１に沿う流れを円滑に所望の左右方向に風向を制御することができる。
【００６６】
以上のように、本実施の形態の空気調和機は、通風路１０の下方の流れについては、第１の左右風向変更羽根９ａで所望の左右方向に風向に変更でき、通風路１０の上方の流れについては、第２の左右風向変更羽根９ｂで所望の左右方向に風向に変更できる。これによって、吹出口２ｃから吹き出される空気全体を左右方向に風向変更する効果を向上させることができる。
【００６７】
特に、吹出口２ｃのスタビライザ１１の下流端近傍に設けた第２の上下風向変更羽根８ｂによって、第２の左右風向変更羽根９ｂの間を通過した空気の上方を覆うことができるので、第２の左右風向変更羽根９ｂで風向変更された流れが、第１の左右風向変更羽根９ａで風向変更された流れと混合し、吹出口２ｃから吹き出される空気全体を左右方向に風向変更する効果を向上させることができる。
【００６８】
また、第１の左右風向変更羽根９ａが、第１の上下風向変更羽根８ａの下流側、つまり、吹出口２ｃからの吹き出された空気の風速が減少している箇所に設けられているため、第１の左右風向変更羽根９ａによって生じる通風抵抗を減少させることができる。このため、送風性能が向上する。また、吹出口２ｃより下流で風向変更がなされるため、左右方向の風向変更性能が向上する。
【００６９】
また、第１の左右風向変更羽根９ａの羽根９ａａと第２の左右風向変更羽根９ｂの羽根９ｂｂとは、吹出口２ｃの長手方向に交互に配置されている。このため、羽根９ａａと羽根９ｂｂの高さを大きくしても、空調運転停止時には、本体２の内部に収納が可能となる。また、羽根９ａａと羽根９ｂｂとが交互に、吹出口２ｃの上方と下方から立ち並ぶため
、空調運転時に、使用者が指などを、吹出口２ｃから挿入した場合にも、指がファン６に届くのを防止することができる。あるいは、羽根９ａａと羽根９ｂｂとを、吹出口２ｃの長手方向に密集して設けることができるので、指がファン６に届くのを防止できる。
【００７０】
また、第１の左右風向変更羽根９ａの羽根９ａａの後縁９ａｔは、第２の左右風向変更羽根９ｂの羽根９ｂｂの後縁９ｂｔより、下流に位置するように設けられている。吹出口２ｃから吹出される空気の流れは、下方の方が、風速が速いため、下方に配置された第１の左右風向変更羽根９ａの羽根９ａａの後縁９ａｔをより下流に設けることで、有効に風向変更でき、所望の左右方向に風向を制御することが容易になる。
【００７１】
つまり、第１の左右風向変更羽根９ａの羽根９ａａの後縁９ｂｔを、第２の左右風向変更羽根９ｂの羽根９ｂｂの後縁９ｂｔより下流に位置するように設ける方が、左右風向性能を向上させる上で有効である。
【００７２】
また、第１の左右風向変更羽根９ａの羽根９ａａの前縁９ａｌは、第２の左右風向変更羽根９ｂの羽根９ｂｂの前縁９ｂｌより、下流に位置するように設けられている。吹出口２ｃから吹出される空気の流れは、下方の方が、風速が速いため、下方に配置された第１の左右風向変更羽根９ａの羽根９ａａの前縁９ａｌをより下流に設けることで、風速が大きいまま前縁９ａｌに衝突することを抑制できるので、第１の左右風向変更羽根９ａを通風する際の空気抵抗を減少させることができる。これにより、送風性能を向上させることができる。なお、第２の左右風向変更羽根９ｂを通過する空気の風速は比較的遅いため、羽根９ｂｂの前縁９ｂｌを上流に配置しても大きな悪影響はない。
【００７３】
つまり、第１の左右風向変更羽根９ａの羽根９ａａの前縁９ａｌを、第２の左右風向変更羽根９ｂの羽根９ｂｂの前縁９ｂｌより下流に位置するように設ける方が、通風抵抗を小さくする上で有効である。
【００７４】
また、連結桟１２ａや連結桟１２ｂは、吹出口２ｃの長手方向のほぼ全域に亘って配置されるため、通風抵抗が大きくなる傾向がある。しかし、本実施の形態では、第１の左右風向変更羽根９ａの連結桟１２ａは、第１の左右風向変更羽根９ａの回転軸１３ａより下流側に設けている。また、第２の左右風向変更羽根９ｂの連結桟１２ｂは、第２の左右風向変更羽根９ｂの回転軸１３ｂより下流側に設けている。これによって、下流の風速の遅い領域に連結桟１２ａや連結桟１２ｂを配置することができ、通風抵抗を減少させて送風性能を向上させることができる。
【産業上の利用可能性】
【００７５】
本発明の空気調和機は、左右方向の風向変更性能を向上させことができ、吹出口からの空気に対して高い整流効果を発揮することができる。また、通風抵抗を軽減させて送風性能を向上させることができる。このため、業務用及び一般家庭等で使用される空気調和機として有用である。
【符号の説明】
【００７６】
１  室内機
２、１０２  本体
２ａ  前面開口部
２ｂ  上面開口部
２ｃ、１０２ｃ  吹出口
３  前面パネル
４  フィルタ
５  熱交換器
６、１０６  ファン
７  リアガイダ
８ａ  第１の上下風向変更羽根
８ｂ  第２の上下風向変更羽根
９ａ  第１の左右風向変更羽根
９ａａ  羽根
９ａｔ  後縁
９ａｌ  前縁
９ｂ  第２の左右風向変更羽根
９ｂｂ  羽根
９ｂｔ  後縁
９ｂｌ  前縁
１０  通風路
１１  スタビライザ
１２ａ、１２ｂ  連結桟
１３ａ、１３ｂ  回転軸
１０４  可動ディフューザ
１０８  上下風向変更羽根
１０９  左右風向変更羽根
【図１】
2016020797.tif 000003
【図２】
2016020797.tif 000004
【図３】
2016020797.tif 000005
【図４】
2016020797.tif 000006
【図５】
2016020797.tif 000007
【図６】
2016020797.tif 000008
【図７】
2016020797.tif 000009